(57)【要約】      （修正有）【課題】揮散性薬剤の保持及び揮散性に優れ、かつ小型化、軽量化を実現し、加えて薬剤を充填する際に薬剤が手に触れにくい薬剤揮散容器及び薬剤揮散装置を提供する。【解決手段】薬剤揮散容器２０は、揮散性薬剤を保持する薬剤揮散体１０を収容するものであり、薬剤揮散体１０を収容する本体部と、略中央部に薬剤充填口を有する蓋部とを備え、本体部の略中央部に、隆起した薬剤充填部を有する。隆起した薬剤充填部を有することにより、薬剤揮散体に揮散性薬剤を効率よく多量に含浸し、揮散性薬剤を効率よく揮散させることができる。【選択図】図１
2019041581.tif 000002
【特許請求の範囲】
【請求項１】
揮散性薬剤を保持する薬剤揮散体を収容する薬剤揮散容器であって、
前記薬剤揮散体を収容する本体部と、
略中央部に薬剤充填口を有する蓋部とを備え、
前記本体部の略中央部に、隆起した薬剤充填部を有する
ことを特徴とする、前記薬剤揮散容器。
【請求項２】
薬剤揮散装置であって、
揮散性薬剤を保持する薬剤揮散体と、
前記薬剤揮散体を収容する薬剤揮散容器と
を備え、
前記薬剤揮散体は、帯状を成し、渦巻状に巻回されて前記薬剤揮散容器に収容され、
前記薬剤揮散容器は、
前記薬剤揮散体を収容する本体部と、
略中央部に薬剤充填口を有する蓋部とを備え、
前記本体部の略中央部に、隆起した薬剤充填部を有する
ことを特徴とする、前記薬剤揮散装置。
【発明の詳細な説明】
【技術分野】
【０００１】
本発明は、薬剤揮散容器及び薬剤揮散装置に関し、特に、揮散性薬剤を保持するための薬剤揮散容器及び薬剤揮散装置に関する。
【背景技術】
【０００２】
害虫忌避剤等の揮散性薬剤を収容する容器については、従来より様々な形態が提案されている。例えば、特許文献１は、常温又は体温で揮散する忌避剤又は低毒性殺虫剤を紙、プラスチックシート又は連続発砲プラスチックフォーム等の担体に含浸させた虫よけ本体の一方の面に粘着剤層を設けた虫よけ具を開示している。
【０００３】
しかしながら、特許文献１の虫よけ具は、小型、軽量で利便性が高いものの、必ずしも薬剤の保持及び揮散性が十分でなく、害虫防除効果が十分に発揮できないという問題があった。
【先行技術文献】
【特許文献】
【０００４】
【特許文献１】特開平９−１５４４７０号公報
【特許文献２】特開２００５−３１２３３５号公報
【特許文献３】特開２００７−１１６９６７号公報
【特許文献４】特開２０１０−２９１７３号公報
【発明の概要】
【発明が解決しようとする課題】
【０００５】
十分な揮散性が得られないという課題を解決するため、特許文献２では、電池駆動されるモータによって送風機を回転させ、揮散性薬剤を収める薬剤容器に空気を吸い込み、放出して、揮散性薬剤を積極的に放散するようにした送風式薬剤放散装置が開示されている。
【０００６】
しかしながら、特許文献２の送風式薬剤放散装置では、揮散性薬剤を積極的に放散して効率的に害虫防除効果を発揮することができるものの、送風機の駆動手段としてモータ及び電池が必要となる。そのため、特許文献２では、装置本体の小型化、軽量化を図るために、重量物となる動力源を備える電源本体を装置本体とは別体として設け、装置本体を手首等に装着し、電源本体をズボンや服のポケット等に収納して使用する。その際、装置本体と電源本体とは連結コードで連結されており、連結コードにより装置本体と電源本体との距離が制約され、使用者の動作の妨げになるという問題があった。
【０００７】
装置本体と電源本体とが一体化された上で、電源本体の重量の問題を解決するものとして、特許文献３では、薬剤をジャバラ状に折り返して形成した通気性担体に含有させて調製した薬剤含浸体を、ファンを具備しない円盤状のカートリッジに収納し、太陽電池と充電器を備えた薬剤揮散装置が開示されている。
【０００８】
しかしながら、特許文献３についても、モータの駆動手段及び電力供給手段を必要するため、これらを装置本体の内部に収容するスペースが必要となり、薬剤揮散装置を携帯用として用いるためには、更なる小型化、軽量化を図る余地があった。
【０００９】
薬剤揮散装置の駆動手段を用いずに揮散性薬剤を効率良く揮散させるという課題を解決するため、特許文献４では、送風機等の駆動手段を用いずに、ネット状の薬剤揮散体に揮散性薬剤を含浸させる薬剤揮散装置が開示されている。特許文献４の薬剤揮散装置では、容器に、平板部及び皿形状部を有した揮散性薬剤供給手段が少なくとも１つ設けられていると共に、薬剤保持体が当該平板部の面部と当該皿形状部の底部との間に挟まれて位置され、前記皿形状部の前記底部に複数の貫通孔が設けられている。
【００１０】
しかしながら、特許文献４では、薬剤保持体に揮散性薬剤を効率良く多量に含浸、拡散させると共に、製造時等の揮散性薬剤の供給効率を高めることができるものの、揮散性薬剤供給部に薬剤保持体が配置されていることから、薬剤が手に触れやすいという問題があった。
【００１１】
そこで、本発明は、上記課題を解決し、薬剤の保持及び揮散性に優れ、更なる小型化、軽量化を実現し、加えて薬剤を充填する際に薬剤が手に触れにくい薬剤揮散容器及び薬剤揮散装置を提供するものである。
【課題を解決するための手段】
【００１２】
上記課題を解決するため、本発明では、薬剤揮散体を収容する薬剤揮散容器の本体部に、隆起した薬剤充填部を設けることにより、薬剤揮散体に揮散性薬剤を効率よく多量に含浸し、揮散性薬剤を効率よく揮散させ、小型化、軽量化を実現し、薬剤が手に触れにくく安全に使用可能な薬剤揮散容器及び薬剤揮散装置を提供する。
【００１３】
また、本発明による薬剤揮散容器及び薬剤揮散装置において、揮発性薬剤を保持する帯状の薬剤揮散体を渦巻状に巻回させて薬剤揮散容器に収容することにより、薬剤揮散体に揮散性薬剤を効率よく多量に含浸し、揮散性薬剤を効率よく揮散させ、小型化、軽量化を実現し、薬剤が手に触れにくく安全に使用可能とする上記効果を更に高めることができる。
【００１４】
本発明の第一の態様では、揮散性薬剤を保持する薬剤揮散体を収容する薬剤揮散容器であって、前記薬剤揮散体を収容する本体部と、略中央部に薬剤充填口を有する蓋部とを備え、前記本体部の略中央部に、隆起した薬剤充填部を有する、前記薬剤揮散容器を提供する。
【００１５】
揮散性薬剤は、蓋部に設けられた薬剤充填口から、本体部に設けられた薬剤充填部に向けて投入される。薬剤充填部が隆起しているため、揮散性薬剤が薬剤揮散体へと流れやすく、薬剤揮散体に揮散性薬剤を効率よく多量に含浸することができる。また、隆起した薬剤充填部により、薬剤揮散容器内のスペースを有効に活用できるため、薬剤揮散容器全体の小型化、軽量化に寄与することができる。
【００１６】
蓋部を本体部に嵌合した状態において、薬剤充填口の上端と、薬剤充填部とは、蓋部の厚みの分だけ離隔される。そのため、手が蓋部の上部に触れたときに、薬剤充填部には直接触れないため、揮散性薬剤を充填する際に揮散性薬剤が手に触れにくくすることができる。
【００１７】
また、薬剤充填部が隆起しているため、揮散性薬剤が薬剤揮散体へと流れやすく、揮散性薬剤が薬剤揮散体に含浸された状態を速やかに実現することができる。また、薬剤充填部に揮発性薬剤が滞りにくく、薬剤充填部が揮発性薬剤により湿った状態が続きにくいことに加え、薬剤充填部は、蓋部によって隔てられているものの、外気に直接触れるため、充填された揮散性薬剤が薬剤充填部から効率よく揮散する。また、これにより揮散性薬剤が手に触れることを防ぐこともできる。
【００１８】
本発明の第一の態様では、薬剤揮散装置であって、揮散性薬剤を保持する薬剤揮散体と、前記薬剤揮散体を収容する薬剤揮散容器とを備え、前記薬剤揮散体は、帯状を成し、渦巻状に巻回されて前記薬剤揮散容器に収容され、前記薬剤揮散容器は、前記薬剤揮散体を収容する本体部と、略中央部に薬剤充填口を有する蓋部とを備え、前記本体部の略中央部に、隆起した薬剤充填部を有する、前記薬剤揮散装置を提供する。
【００１９】
薬剤揮散装置は、上述の隆起した薬剤充填部を有する薬剤揮散容器に、揮散性薬剤を保持する薬剤揮散体を配置したものである。薬剤揮散体は、薬剤揮散容器に配置される前においては、長尺の帯状を成すものであるが、本発明の薬剤揮散容器に配置されると、渦巻状に巻回された状態で保持される。本発明においては、渦巻状に巻回された薬剤揮散体は、一周毎に互いに隙間ができ、揮散性薬剤を効率よく揮散するのに好適であることを見出した。即ち、本発明による薬剤揮散容器は、渦巻状に巻回された薬剤揮散体を、一周毎に有効な隙間が生じるように保持することに適した構造を有している。
【００２０】
本発明の第一の態様における薬剤揮散容器において、前記薬剤充填部は、好ましくは略鉛直方向に略円錐状に隆起している。これにより、充填された揮散性薬剤が効率よく薬剤揮散体へと流れ、揮散性薬剤が薬剤充填部に滞ることを防止する効果を高め、揮散性薬剤を薬剤揮散体に効率よく含浸させることができる。また、揮散性薬剤が手に触れることを防ぐこともできる。
【００２１】
また、本発明の第一の態様における薬剤揮散容器において、前記本体部は、前記薬剤揮散体を収容する収容部を有し、該収容部は、前記薬剤充填部を取り囲むように配置される。薬剤揮散体は、薬剤充填部を取り囲むように収容部へ収容されるため、隆起した薬剤充填部から揮散性薬剤が薬剤揮散体に向かって流れる際に、揮散性薬剤がいずれの方向に流れても揮散性薬剤を確実に捕捉することができ、充填する際に揮散性薬剤が漏れることを防止することができる。
【００２２】
また、本発明の第一の態様における薬剤揮散容器において、前記本体部は、前記薬剤充填部と前記収容部との境界に複数の境界壁を有し、該複数の境界壁の各々は、互いに間隔を空けて配置される。薬剤充填部と収容部とを隔てる複数の境界壁は、互いに間隔を空けて配置されているため、各境界壁の間から揮散性薬剤が薬剤揮散体に到達する。
【００２３】
本発明の第一の態様では、揮散性薬剤を保持する薬剤揮散体であって、帯状を成し、渦巻状に巻回されることを特徴とする、前記薬剤揮散体を提供する。上述の通り、本発明による薬剤揮散体は、薬剤揮散容器に配置される前においては、長尺の帯状を成し、薬剤揮散容器に配置される際には、渦巻状に巻回された状態で保持される。渦巻状に巻回された薬剤揮散体を用いることにより、一周毎に互いに隙間ができるため、揮散性薬剤を効率よく揮散することが可能である。また、長尺の薬剤揮散体を渦巻状に巻回することにより、収容スペースを削減することができ、薬剤揮散容器及び薬剤揮散装置全体のサイズを小型化することができる。
【００２４】
本発明の第一の態様における薬剤揮散体は、好ましくは複数の開口を有している。薬剤揮散体に複数の開口を設けることにより、揮散性を更に向上させることができる。好ましくは、薬剤揮散体が網目状を構成するようにすることにより、複数の開口を設けるようにしてもよい。薬剤揮散体を渦巻状に巻回すると、複数の開口は、典型的には互い違いになり、一周毎に生じる隙間との相乗効果により、揮散性薬剤の揮散性を更に高めることができる。
【００２５】
本発明の第一の態様における薬剤揮散体は、渦巻状に巻回されることにより複数の層を成し、前記複数の層の各々の間に間隙を有する。上述の通り、薬剤揮散体は、渦巻状に巻回されるため、複数の層が生じ、複数の層の間に隙間ができることにより、揮散性薬剤を効率よく揮散することが可能となる。
【発明の効果】
【００２６】
本発明によれば、薬剤揮散体を収容する薬剤揮散容器の本体部に、隆起した薬剤充填部を設けることにより、薬剤揮散体に揮散性薬剤を効率よく多量に含浸し、揮散性薬剤を効率よく揮散させることができる。また、隆起した薬剤充填部を含む薬剤揮散容器の構造により、薬剤揮散容器を小型化、軽量化することができる。そのため、携帯用としても好適に使用することが可能である。さらに、揮散性薬剤の充填部において薬剤が手に触れにくく安全に使用することが可能である。
【００２７】
また、揮発性薬剤を保持する帯状の薬剤揮散体を渦巻状に巻回させて薬剤揮散容器に収容することにより、薬剤揮散体に揮散性薬剤を効率よく多量に含浸し、揮散性薬剤を効率よく揮散させ、薬剤揮散容器を小型化、軽量化する上記効果を更に高めることができる。
本発明の他の目的、特徴及び利点は添付図面に関する以下の本発明の実施例の記載から明らかになるであろう。
【図面の簡単な説明】
【００２８】
【図１】図１は、本発明の第１の実施例による薬剤揮散装置を示す斜視図である。
【図２】図２は、本発明の第１の実施例による薬剤揮散容器を示す斜視図である。
【図３】図３は、本発明の第１の実施例による薬剤揮散容器の本体部に薬剤揮散体を収容した状態を示す斜視図である。
【図４Ａ】図４Ａは、本発明の第１の実施例による薬剤揮散体の一例を示す図である。
【図４Ｂ】図４Ｂは、本発明の第１の実施例による薬剤揮散体の好適な一例を示す図である。
【図５Ａ】図５Ａは、本発明の第１の実施例による薬剤揮散装置の平面図である。
【図５Ｂ】図５Ｂは、図５Ａにおける薬剤揮散装置のＶＢ−ＶＢ線における断面図である。
【図６】図６は、薬剤揮散体の揮散試験の結果を示す図である。
【発明を実施するための形態】
【実施例１】
【００２９】
図１は、本発明の第１の実施例による薬剤揮散装置１を示す斜視図である。薬剤揮散装置１は、揮散性薬剤を保持する薬剤揮散体１０と、薬剤揮散体１０を収容する薬剤揮散容器２０とを備える。薬剤揮散体１０は、帯状を成し、渦巻状に巻回されて薬剤揮散容器２０に収容される。薬剤揮散容器２０に収容された薬剤揮散体１０は、薬剤揮散容器２０に設けられた複数の通気孔３３を介して外気に触れ、薬剤揮散体１０に保持された揮散性薬剤は、複数の通気孔３３を介して揮散する。
【００３０】
薬剤揮散装置１は、薬剤揮散容器２０に、揮散性薬剤を保持する薬剤揮散体１０を配置したものである。薬剤揮散体１０は、薬剤揮散容器２０に配置される前においては、長尺の帯状を成すものであるが、薬剤揮散容器２０に配置されると、渦巻状に巻回された状態で保持される。薬剤揮散体１０を渦巻状に巻回させることにより、一周毎に互いに隙間ができ、揮散性薬剤を効率よく揮散することが可能である。薬剤揮散容器２０は、渦巻状に巻回された薬剤揮散体を、一周毎に有効な隙間が生じるように保持する。
【００３１】
薬剤揮散装置１の外形は、好ましくは略円柱形であり、好ましくは直径が約４０ｍｍ〜５０ｍｍ、高さが約１５〜２５ｍｍであるが、これに限られず携帯可能な程度に十分に小型であればよい。
【００３２】
図２は、本発明の第１の実施例による薬剤揮散容器２０を示す斜視図である。薬剤揮散容器２０は、薬剤揮散体１０を収容する本体部２１と、略中央部に薬剤充填口３１を有する蓋部２２とを備える。また、薬剤揮散容器２０は、本体部２１の略中央部に、隆起した薬剤充填部３０を有する。揮散性薬剤は、蓋部２２に設けられた薬剤充填口３１を介して、本体部２１に設けられた薬剤充填部３０に投入される。薬剤充填部３０が隆起し、中心部から外側に向かってスロープを形成しているため、揮散性薬剤が薬剤揮散体１０へと流れやすく、薬剤揮散体１０に揮散性薬剤を効率よく多量に含浸することができる。また、隆起した薬剤充填部３０により、薬剤揮散容器２０内のスペースを有効に活用できるため、薬剤揮散容器２０全体の小型化、軽量化に寄与することができる。
【００３３】
蓋部２２を本体部２１に嵌合した状態において、薬剤充填口３１の上端と、薬剤充填部３０とは、蓋部２２の厚みの分だけ離隔される。そのため、手が蓋部２２の上部に触れたときに、薬剤充填部３０には直接触れず、揮散性薬剤を充填する際に揮散性薬剤が手に触れにくくすることができる。また、薬剤充填部３０が隆起しているため、揮散性薬剤が薬剤揮散体１０へと流れやすく、揮散性薬剤が薬剤揮散体１０に含浸された状態を速やかに実現することができる。また、薬剤充填部３０に揮発性薬剤が滞りにくく、薬剤充填部３０が揮発性薬剤により湿った状態が続きにくいことに加え、薬剤充填部３０は、蓋部２２によって隔てられているものの、外気に直接触れるため、充填された揮散性薬剤が薬剤充填部３０から効率よく揮散する。また、これにより揮散性薬剤が手に触れることを防ぐこともできる。
【００３４】
本体部２１は、薬剤揮散体１０を収容する収容部３４と、薬剤が充填される薬剤充填部３０と、薬剤充填部３０と収容部３４との境界に配置された複数の境界壁３２と、側壁３５とを備える。本体部２１は、後述するこれらの各部の構造により、渦巻状に巻回された薬剤揮散体１０を、一周毎に有効な隙間が生じるように保持することに適したものとなっている。本体部２１は更に、複数の通気孔３６を有するようにしてもよい。本体部２１に更に複数の通気孔３６を設けることにより、収容部３４に収容された薬剤揮散体１０が外気に触れやすくなり、揮散性薬剤の揮散性を更に高めることができる。
【００３５】
蓋部２２は、略中央部に薬剤充填口３１を有する。蓋部２２の薬剤充填口３１を介して、本体部２１の略中央部に設けられた薬剤充填部３０が露出している。即ち、薬剤充填口３１の位置は、本体部２１の薬剤充填部３０の位置と対応しており、薬剤充填口３１を介して、薬剤充填部３０が露出するように配置されている。蓋部２２の薬剤充填口３１を介して薬剤充填部３０が外気に触れるため、揮散性薬剤が薬剤揮散体１０に含浸されたのち、薬剤充填部３０に残った薬剤は速やかに乾燥し、手等への薬剤の付着を回避することができる。また、薬剤充填部３０は、蓋部２２の厚みの分だけ薬剤充填口３１の上端から離隔されているため、手が蓋部２２の上部に触れたときであっても、薬剤充填部３０には直接触れない。そのため、揮散性薬剤を充填する際に揮散性薬剤が手に触れにくくすることができる。
【００３６】
また、蓋部２２には、複数の通気孔３３が設けられている。薬剤揮散体１０に含浸された揮散性薬剤は、蓋部２２の複数の通気孔３３を介して揮散する。蓋部２２に複数の通気孔３３を設けることにより、薬剤揮散体１０は、その通気孔３３を介して外気に触れることができ、薬剤揮散体１０に含浸された揮散性薬剤を効率よく揮散することができる。なお、図２に示す複数の通気孔３３の数及び配置は一例であり、これに限られるものではない。
【００３７】
蓋部２２に設けられた薬剤充填口３１は、好ましくは円形であるが、これに限られず、薬剤充填口３１を介して、本体部２１の略中央部に設けられた薬剤充填部３０が露出可能であれば、三角形や四角形等の多角形等、任意の形状としてもよい。薬剤充填口３１の直径は、好ましくは約１８ｍｍであるが、これに限られず、薬剤充填口３１から揮発性薬剤を投入可能であれば、例えば５ｍｍ〜３０ｍｍ等任意の直径を有するようにしてもよい。また、薬剤充填口３１の深さは、好ましくは蓋部２２の高さ、即ち、蓋部２２の鉛直方向の厚みと実質的に同一であるが、本体部２１と蓋部２２とを嵌合した際に、薬剤充填口３１の底が薬剤充填部３０に直接接触しないことが好ましい。薬剤充填口３１の深さは、好ましくは約１１ｍｍであるが、これに限られず、例えば約５ｍｍ〜１５ｍｍ等任意の深さを有するようにしてもよい。
【００３８】
本体部２１と蓋部２２とは、好ましくは蓋部２２を略垂直方向に押下することにより嵌合するが、蓋部２２を回転させながら本体部２１に嵌合するようにしてもよい。本体部２１と蓋部２２とが嵌合した状態において、本体部２１の薬剤充填部３０は、蓋部２２の薬剤充填口３１を介して露出する。上述の通り、薬剤充填部３０が外気に直接触れるため、充填された揮散性薬剤が速やかに乾燥しやすく、揮散性薬剤が薬剤揮散体１０に含浸された状態を速やかに実現することができる。また、本体部２１と蓋部２２とを嵌合させることにより、薬剤充填口３１の上端と、薬剤充填部３０とが、蓋部２２の厚みの分だけ離隔され、手が蓋部２２の上部に触れたときに、薬剤充填部３０には直接触れないため、揮散性薬剤を充填する際に揮散性薬剤が手に触れにくくすることができる。
【００３９】
揮散性薬剤は、液体であり、好ましくは、害虫忌避又は害虫駆除の効果を有する成分を含む。例えば、有機リン系、カーバメート系、ピレスロイド系等の害虫忌避又は害虫駆除の効果を有する成分を含むようにしてもよい。例えば、有機リン系の害虫忌避又は害虫駆除剤として、ＤＤＶＰ、ダイアジノン、スミチオン等を用いてもよい。また、カーバメート系の害虫忌避又は害虫駆除剤として、プロポクサー、カルバリル等を用いてもよい。また、ピレスロイド系の害虫忌避又は害虫駆除剤として、アレスリン、フタルスリン、レスメトリン、フラメトリン、ペルメトリン、フェノトリン、フェンバレレート、エスフェンバレレート、プラレトリン、テフルスリン、トランスフルトリン、メトフルトリン、プロフルトリン、シペルメトリン、シフェノトリン、フェンプロパトリン、フェンフルスリン、エムペントリン、テラレスリン、エトフェンプロックス、イミプロトリン等を用いてもよい。また、他の害虫忌避又は害虫駆除剤として、アミドフルメト、メトキサジアゾン、植物精油、テルペン、およびこれらの異性体や誘導体等を用いてもよい。
【００４０】
揮散性薬剤は、有効成分が空気中に揮散することにより、害虫忌避又は害虫駆除の効果を発揮する。なお、揮散性薬剤は、害虫忌避又は害虫駆除の効果を有する成分を含むものに限られず、有効成分が空気中に揮散することにより、その効果を発揮するものであれば、他の用途に関するものであってもよい。例えば、揮散性薬剤は、芳香、消臭、殺菌、防カビ、抗ウイルス等の効果を有する成分を含むものであってもよい。
【００４１】
例えば、芳香剤として、じゃ香、竜延香、アビエス油、アーモンド油、ページル油、パーチ油、カヤブチ油、シトロネラ油、ユーカリ油、フェンネル油、ガーリック油、ジンジャー油、グレープフルーツ油、レモン油、レモングラス油、ナツメッグ油、ハッカ油、オレンジ油、テレピン油、セイジ油、ラベンダー油等の任意の精油類、ピネン、リモネン、リナロール、ゲラニオール、シトロネラール、ボルネオール、ペンジルアルコール、アニスアルコール、アネトール、オイゲノール、アルデヒド、シトラール、シトロネラール、ワニリン、カルボン、ケトン、メントン、メントール、アセトフェノン、クマリン、シネオール、エチルアセテート、オクチルアセテート、プロピオン酸ブチル、イソ酪酸イソプロピル、カプロン酸アリル、安息香酸エチル、桂皮酸メチル、サリチル酸メチル等の任意の香料を用いてもよい。
【００４２】
例えば、消臭剤として、ラウリルメタクリレート、ゲラニルクロリネート、ミリスチル酸アセトフェノン、パラメチルアセトフェノンベンズアルデヒド、酢酸ベンジル、プロピオン酸ベンジル、アミルシンナミックアルデヒド、アニシックアルデヒド、ジフェニルオキサイド、安息香酸メチル、安息香酸エチル、フェニル酢酸メチル、フェニル酢酸エチル、ネオリン、サフロール、シトロネラ油、レモングラス油等を用いてもよい。
【００４３】
例えば、殺菌・防カビ剤として、ヒノキチオール、フェノキシエタノール、イソプロピルメチルフェノール、チアベンダゾール、二酸化塩素等を用いてもよい。
【００４４】
例えば、抗ウイルス剤として、オクタデシルトリメチルアンモニウムクロライド、ヘキサデシルトリメチルアンモニウムクロライド等の４級アンモニウム塩、ヒノキチオール、二酸化塩素等を用いてもよい。
【００４５】
本発明の薬剤揮散容器２０において、本体部２１は、薬剤揮散体１０を収容する収容部３４を有し、収容部３４は、薬剤充填部３０を取り囲むように配置される。収容部３４が、薬剤充填部３０を取り囲むように配置されることにより、薬剤充填口３１を介して薬剤充填部３０に投入された揮散性薬剤がいずれの方向に流れた場合であっても、収容部３４に収容された薬剤揮散体１０により揮散性薬剤を捕捉することが可能となる。これにより、充填する際に揮散性薬剤が漏れることを防止することができる。
【００４６】
収容部３４は、図２に示されるように、境界壁３２と本体部２１の側壁３５とにより囲まれた部分であり、中空の円筒形状を成す空間を形成する。収容部３４の底面は、中空の円形状であり、中空の円形状の内円は、複数の境界壁３２によって画定され、中空の円形状の外円は、本体部２１の側壁３５によって画定される。収容部３４の幅、即ち、上記外円の半径から上記内円の半径を引いた長さは、好ましくは、約７ｍｍであるが、これに限られず、例えば約５ｍｍ〜１５ｍｍ等の所望の幅としてもよい。
【００４７】
また、本発明の薬剤揮散容器２０において、本体部２１は、薬剤充填部３０と収容部３４との境界に複数の境界壁３２を有し、複数の境界壁３２の各々は、互いに間隔を空けて配置される。複数の境界壁３２の各々が、互いに間隔を空けて配置されることにより、揮散性薬剤が複数の境界壁３２の間を通って薬剤揮散体１０に到達する。
【００４８】
複数の境界壁３２は、好ましくは、薬剤充填部３０と収容部３４との境界に、互いに間隔を空けて円形状に配置される。複数の境界壁３２は、好ましくは等間隔に間隔を空けて配置されるが、異なる間隔で配置されるようにしてもよい。各々の境界壁３２の形状は、好ましくは略長方形の板状であり、薬剤充填部３０と収容部３４との境界を成す円の円周に沿って僅かに湾曲するようにしてもよく、湾曲をさせずに平面を成すようにしてもよい。各々の境界壁３２の幅は、好ましくは約４ｍｍであるが、これに限られず、例えば約２ｍｍ〜１０ｍｍ等の所望の幅としてもよい。また、複数の境界壁３２の個数は図２の例では８個であるが、これに限られず、任意の個数としてもよい。
【００４９】
また、本発明の薬剤揮散容器２０において、薬剤充填部３０は、薬剤揮散容器２０を水平面に載置した場合に、略鉛直方向に略円錐状に隆起している。薬剤充填部３０が略鉛直方向に略円錐状に隆起した形状を有することにより、薬剤充填口３１から投入された揮散性薬剤が、薬剤揮散体１０に向かって流れ、薬剤揮散体１０に浸潤するため、薬剤充填部３０への揮散性薬剤の残留を防ぎ、揮散性薬剤を薬剤揮散体１０に効率よく含浸されることができる。また、揮散性薬剤は、薬剤充填部３０の略円錐状に隆起した形状によるスロープに沿って、鉛直方向の上方から下方へと自然に流れる。そのため、揮散性薬剤を薬剤揮散体１０に浸潤させる際に、薬剤揮散容器２０を傾ける必要がなく、薬剤揮散容器２０を傾け過ぎることにより揮散性薬剤がこぼれる恐れや、充填時に揮散性薬剤が手や身体等に付着する恐れを回避することもできる。
【００５０】
薬剤充填部３０の直径は、好ましくは約２０ｍｍであるが、これに限られず、例えば約７ｍｍ〜３０ｍｍ等の所望の直径を有するようにしてもよい。
【００５１】
図３は、本発明の第１の実施例による薬剤揮散容器２０の本体部２１に薬剤揮散体１０を収容した状態を示す斜視図である。薬剤揮散体１０は、本体部２１の収容部３４に収容される。収容部３４は、境界壁３２と本体部２１の側壁３５とにより囲まれた部分であり、中空の円筒形状を成す空間を形成する。薬剤揮散体１０は帯状を成し、渦巻状に巻回されることにより、収容部３４の形状に合わせた中空の円筒形状を形成する。
【００５２】
薬剤揮散体１０は、薬剤揮散容器２０に配置される前においては、長尺の帯状を成し、薬剤揮散容器２０に配置される際には、渦巻状に巻回された状態で保持される。長尺の薬剤揮散体１０を渦巻状に巻回することにより、収容スペースを削減することができ、薬剤揮散容器２０及び薬剤揮散装置１全体のサイズを小型化することができる。
【００５３】
また、薬剤揮散体１０は、渦巻状に巻回されることにより複数の層を成し、複数の層の各々の間に間隙を有する。複数の層の各々の間に間隙を有することにより、揮散性薬剤が揮散しやすくなる。収容部３４に収容された薬剤揮散体１０の両端は、係止されていないが、本体部２１の側壁３５又は境界壁３２により支持され、渦巻状を維持する。この際、渦巻状に巻回された薬剤揮散体１０は、本体部２１の側壁３５のみによって支持されてもよい。渦巻状に巻回された薬剤揮散体１０は、薬剤揮散体１０が巻回される前の平らな状態に戻ろうとする力が働く。この力により、複数の層の各々の間に適度な間隙ができ、かつ本体部２１の側壁３５により、それ以上に広がることを阻止され、側壁３５に支持されながら、渦巻状を維持する。
【００５４】
図４Ａは、本発明の第１の実施例による薬剤揮散体１０の一例を示す図である。薬剤揮散体１０は、帯状を成し、液体の揮散性薬剤を保持又は吸収可能な素材により形成されている。薬剤揮散体１０は、繊維を編んで形成した編物、織物、布、不織布、脱脂綿、ガーゼ、紙、厚紙、網又はフィルム等であってもよい。
【００５５】
薬剤揮散体１０のサイズは、好ましくは、縦約１０ｍｍ、横約４００〜５００ｍｍ、厚さ約１ｍｍ程度であるが、これに限られず、渦巻状に巻回することにより、薬剤揮散容器２０の収容部３４に収めることが可能なサイズであればよい。渦巻状にしたときのサイズは、好ましくは外円の半径が約３５ｍｍ、内円の半径が約２５ｍｍであるが、これに限定されず、薬剤揮散容器２０の収容部３４に収めた際に定まる任意の長さであってもよい。
【００５６】
図４Ｂは、本発明の第１の実施例による薬剤揮散体１０の好適な一例を示す図である。図４Ｂの例では、薬剤揮散体１０は、繊維を編んで形成した編物であり、複数の開口１１を有するように編まれている。図４Ｂのような編み目を有する編物とすることにより、薬剤揮散体１０の表面に編み目による凹凸ができ、表面積が大きくなり、揮散性薬剤をより揮散しやすくすることが可能となる。
【００５７】
薬剤揮散体１０は、図４Ｂのような編物以外の素材により形成されてもよいが、複数の開口１１を有していることが好ましい。複数の開口１１は通気が可能な程度の大きさであればよい。薬剤揮散体１０の全体面積は好ましくは約４４ｃｍ２であるが、これに限られず、十分な揮散量を確保することが可能であればよく、例えば薬剤揮散体１０の全体面積を約２０〜１００ｃｍ２としてもよい。また、薬剤揮散体１０の重量は、好ましくは１ｍ２あたり約５０〜５００ｇであり、より好ましくは１ｍ２あたり約１００〜３００ｇである。
【００５８】
図５Ａは、本発明の第１の実施例による薬剤揮散装置の平面図である。薬剤揮散容器２０の薬剤充填部３０は、蓋部２２の薬剤充填口３１を通して視認可能であり、薬剤充填部３０の少なくとも中心部の表面は、直接、外気に触れるように露出している。また、薬剤揮散体１０も蓋部２２の通気孔３３を通して視認可能であり、通気性が良く、揮散性薬剤が揮散しやすい。なお、図５Ａに示す複数の通気孔３３の数及び配置は一例であり、これに限られるものではない。
【００５９】
図５Ｂは、図５Ａにおける薬剤揮散装置のＶＢ−ＶＢ線における断面図である。図５Ｂに示すように、薬剤充填部３０が隆起した形状になっている。図５Ｂの例では、薬剤充填部３０は、略鉛直方向に略円錐状に隆起した形状を有しているが、これに限られず、例えば、半球状や三角錐、四角錐等の多角錐状であってもよい。
【００６０】
図５Ｂにおける薬剤充填部３０の傾斜角αは、好ましくは約１０°であるが、これに限られず、例えば約５°〜２０°等の所望の角度にしてもよい。図５Ｂにおける薬剤充填部３０の隆起の高さｈ、即ち、薬剤充填部３０と収容部３４との境界ｂを基準として、薬剤充填部３０の頂点ｐが垂直方向にどれだけ隆起しているかを示す高さｈは、好ましくは約２ｍｍであるが、これに限られず、例えば約１ｍｍ〜７ｍｍ等の任意の高さとしてもよい。
【００６１】
＜揮散試験＞
第１の実施例では、薬剤揮散体１０は、帯状を成し、渦巻状に巻回されている。渦巻状に巻回することにより、薬剤揮散容器２０及び薬剤揮散装置１を小型化することが可能となるが、その際に、巻回しない場合と比較して揮散量が減少しないかを検証するための試験を行った。
【００６２】
１．試験検体
試験検体Ａとして、本発明の第１の実施例による薬剤揮散体１０と同様に帯状を成し、図４Ｂの複数の開口１１と同様の複数の開口を有するネット形状の薬剤揮散体を用意した。試験検体Ａの全体面積は４４ｃｍ２であり、試験検体Ａの露出面積は１１ｃｍ２である。ここで、露出面積とは、薬剤揮発散体が薬剤揮発散容器に覆われずに外気に露出している部分の面積をいう。試験検体Ａは、本発明の第１の実施例による薬剤揮散体１０と同様に渦巻状に巻回され、本発明の第１の実施例による薬剤揮散容器２０と同様の円筒形の薬剤揮散容器に格納した。
【００６３】
試験検体Ａと比較するための試験検体Ｂとして、試験検体Ａと同じ全体面積４４ｃｍ２、露出面積１１ｃｍ２の平面状の薬剤揮散体を用意した。試験検体Ｂは、試験検体Ａと同じく図４Ｂの複数の開口１１と同様の複数の開口を有するネット形状を有している。試験検体Ｂは、平面状を維持したまま、角型の容器に格納した。
【００６４】
試験検体Ａ及び試験検体Ｂに、ラベンダー油６００ｍｇを含浸した。
【００６５】
２．検体揮散場所
揮散試験を実施する検体揮散場所として、温度を２７±２℃に、湿度を６０〜８０％ＲＨに設定した蒸散室を用意した。それぞれの容器に格納された試験検体Ａ及び試験検体Ｂを上記蒸散室に設置し、揮散開始から８日間の揮散量の変化を観測した。
【００６６】
３．試験結果
図６は、上記薬剤揮散体の揮散試験の結果を示す図である。図６のグラフに示される通り、揮散開始から８日間に亘り、試験検体Ａと試験検体Ｂとでほとんど違いはなく、揮散量はほぼ同等であった。即ち、試験検体Ａのように渦巻状に巻回された場合であっても、試験検体Ｂのように渦巻状に巻回せずに平面状を維持した場合であっても、同様の揮散量、持続期間を確保できることが確認された。
【００６７】
このように、本発明の第１の実施例による薬剤揮散体１０を渦巻状に巻回し薬剤揮散容器２０に収容することで、より小型の容器に収容することを可能にしつつ、十分な揮散量を確保することが可能である。
【実施例２】
【００６８】
第１の実施例では、図１等に示されるような円柱形の薬剤揮散装置１の例を示したが、これに限られず、薬剤揮散装置１を三角柱、四角柱等の多角柱形状としてもよい。例えば薬剤揮散装置１を多角柱形状とした場合に、薬剤揮散容器２０の収容部３４の形状もそれに伴い、中空の多角形状にしてもよい。また、薬剤揮散装置１を多角柱形状とした場合に、薬剤充填部３０の形状もそれに伴い、多角形状にしてもよいし、図２に示されるような円形状のままとしてもよい。また、薬剤揮散装置１を多角柱形状とした場合に、薬剤充填口３１の形状もそれに伴い、多角形状にしてもよいし、図２に示されるような円形状のままとしてもよい。また、薬剤揮散装置１を多角柱形状とした場合に、複数の境界壁３２は、薬剤充填部３０の外周に添って間隔を空けて配置されるようにしてもよく、例えば薬剤充填部３０の多角形状の外周に添って間隔を空けて配置されるようにしてもよいし、図２と同様に薬剤充填部３０と収容部３４との境界に、互いに間隔を空けて円形状に配置されるようにしてもよい。
【００６９】
また、例えば薬剤揮散装置１を多角柱形状とした場合に、薬剤揮散容器２０の収容部３４の形状が中空の多角形状であれば、薬剤揮散体１０も図３に示すように円形の渦巻状に巻回されるのではなく、収容部３４の形状に合わせて多角形状の渦巻状に巻回されるようにしてもよい。その際、薬剤揮散体１０は、薬剤揮散容器２０の本体部２１の側壁３５のみによって支持されるようにしてもよく、側壁３５及び境界壁３２の双方によって支持されるようにしてもよい。
【００７０】
また、薬剤揮散装置１は、使用時に腕時計のベルトのような手首用のベルトや腰紐等に装着して用いてもよい。薬剤揮散装置１を手首用のベルトや腰紐等に装着可能とするために、薬剤揮散容器２０の本体部２１に、ベルトや腰紐等を通すための挿通孔や着脱機構を更に設けるようにしてもよい。また、薬剤揮散装置１は、ストラップやベルト等により、鞄等の持ち物に装着してもよい。薬剤揮散装置１をストラップやベルト等により、鞄等の持ち物に装着可能とするために、薬剤揮散容器２０の本体部２１に、ストラップやベルト等を通すための挿通孔や着脱機構を更に設けるようにしてもよい。
【００７１】
上述の通り、本発明による薬剤揮散装置１は、薬剤揮散容器２０に設けられた薬剤充填部３０が、略鉛直方向に略円錐状に隆起していることにより、略円錐状に隆起した形状によるスロープに沿って、揮散性薬剤が流れ、揮散性薬剤を薬剤揮散体１０に効率よく含浸させることができる。また、隆起した薬剤充填部により、薬剤揮散容器内のスペースを有効に活用できるため、薬剤揮散容器全体の小型化、軽量化に寄与することができ、充填時に揮散性薬剤が手や身体等に付着する恐れを回避することもできる。さらに渦巻状に巻回されることにより薬剤揮散体１０の複数の層が生じ、複数の層の間に間隙が生じることにより、十分な揮散量を確保することが可能となる。これらの特徴的な部分等について、本発明の思想を逸脱しない限り、種々の変更が可能であることは明らかである。
即ち、上記記載は実施例についてなされたが、本発明はそれに限らず、本発明の精神と添付の請求の範囲の範囲内で種々の変更および修正をすることができることは当業者に明らかである。
【符号の説明】
【００７２】
１  薬剤揮散装置
１０  薬剤揮散体
２０  薬剤揮散容器
２１  本体部
２２  蓋部
３０  薬剤充填部
３１  薬剤充填口
３２  境界壁
３３  通気孔
３４  収容部
３５  側壁
３６  通気孔
【図１】
2019041581.tif 000003
【図２】
2019041581.tif 000004
【図３】
2019041581.tif 000005
【図４Ａ】
2019041581.tif 000006
【図４Ｂ】
2019041581.tif 000007
【図５Ａ】
2019041581.tif 000008
【図５Ｂ】
2019041581.tif 000009
【図６】
2019041581.tif 000010